【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
植物成長促進特性を有する細菌株の生物学的に純粋な培養物を少なくとも１つ含む第１の組成物を含有する第１のコンテナと、
少なくとも１つの農薬を含む第２の組成物を含有する第２のコンテナと、を含み、
前記第１の組成物及び前記第２の組成物は、液体肥料と相溶性を有する製剤中に存在する、
ことを特徴とする製品。
【請求項２】
前記農薬は、殺虫剤、殺真菌剤、除草剤、又は殺線虫剤である、
ことを特徴とする請求項１に記載の製品。
【請求項３】
前記農薬は、ピレスロイド類、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン；有機リン酸塩類、クロルピリホス−エチル、テブピリムホス、テルブホス、エトプロホス、カズサホス；ニコチノイド類、イミダクロプリド、チアメトキサム、クロチアニジン；カルバメート類、チオジカルブ、オキサミル、カルボフラン、カルボスルファン；及びフィプロール類、フィプロニル、エチプロールからなる群から選択される土壌殺虫剤である、
ことを特徴とする請求項１に記載の製品。
【請求項４】
前記農薬は、ビフェントリンである、
ことを特徴とする請求項１に記載の製品。
【請求項５】
前記第２の組成物は、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項４に記載の製品。
【請求項６】
少なくとも１つの菌株は、胞子又は栄養細胞の形態である、
ことを特徴とする請求項１に記載の製品。
【請求項７】
少なくとも１つの菌株は、バチルス属の株である、
ことを特徴とする請求項１に記載の製品。
【請求項８】
少なくとも１つのバチルス属は、バチルス・プミルス、バチルス・リケニフォルミス、又はそれらの組み合わせである、
ことを特徴とする請求項７に記載の製品。
【請求項９】
少なくとも１つのバチルス属は、バチルス・プミルスＲＴＩ２７９（ＡＴＣＣ受託番号ＰＴＡ−１２１１６４）である、
ことを特徴とする請求項７に記載の製品。
【請求項１０】
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする請求項９に記載の製品。
【請求項１１】
少なくとも１つのバチルス属は、バチルス・リケニフォルミスＣＨ２００（ＤＳＭＺ受託番号ＤＳＭ１７２３６）である、
ことを特徴とする請求項７に記載の製品。
【請求項１２】
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする請求項１１に記載の製品。
【請求項１３】
バチルス・リケニフォルミスＣＨ２００（ＤＳＭＺ受託番号ＤＳＭ１７２３６）の生物学的に純粋な培養物を含む第１の組成物を含有する第１のコンテナと、
ビフェントリンを含む第２の組成物を含有する第２のコンテナと、を含み、
前記第１の組成物及び前記第２の組成物は、液体肥料と相溶性を有する製剤中に存在する、
ことを特徴とする製品。
【請求項１４】
前記第２の組成物は、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項１３に記載の製品。
【請求項１５】
ａ）植物成長促進特性を有する少なくとも１つの菌株の生物学的に純粋な培養物、及び
ｂ）少なくとも１つの農薬、を含む、
液体肥料と相溶性を有する製剤中に存在する、
ことを特徴とする組成物。
【請求項１６】
前記農薬は、殺虫剤、殺真菌剤、除草剤、又は殺線虫剤である、
ことを特徴とする請求項１５に記載の組成物。
【請求項１７】
前記農薬は、ピレスロイド類、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン；有機リン酸塩類、クロルピリホス−エチル、テブピリムホス、テルブホス、エトプロホス、カズサホス；ニコチノイド類、イミダクロプリド、チアメトキサム、クロチアニジン；カルバメート類、チオジカルブ、オキサミル、カルボフラン、カルボスルファン；及びフィプロール類、フィプロニル、エチプロールからなる群から選択される土壌殺虫剤である、
ことを特徴とする請求項１５に記載の組成物。
【請求項１８】
前記農薬は、ビフェントリンである、
ことを特徴とする請求項１５に記載の組成物。
【請求項１９】
少なくとも１つの菌株は、胞子又は栄養細胞の形態である、
ことを特徴とする請求項１５に記載の組成物。
【請求項２０】
少なくとも１つの菌株は、バチルス属の株である、
ことを特徴とする請求項１５に記載の組成物。
【請求項２１】
少なくとも１つのバチルス属は、バチルス・プミルス、バチルス・リケニフォルミス、又はそれらの組み合わせである、
ことを特徴とする請求項２０に記載の組成物。
【請求項２２】
少なくとも１つのバチルス属は、バチルス・プミルスＲＴＩ２７９（ＡＴＣＣ受託番号ＰＴＡ−１２１１６４）である、
ことを特徴とする請求項２０に記載の組成物。
【請求項２３】
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする請求項２２に記載の組成物。
【請求項２４】
少なくとも１つのバチルス属は、バチルス・リケニフォルミスＣＨ２００（ＤＳＭＺ受託番号ＤＳＭ１７２３６）である、
ことを特徴とする請求項２０に記載の組成物。
【請求項２５】
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする請求項２４に記載の組成物。
【請求項２６】
液体肥料中に、ａ）植物成長促進特性を有する少なくとも１つの細菌株の生物学的に純粋な培養物と、ｂ）土壌殺虫剤とを含む組成物を、植物に又は植物の一部に送達することを含み、
前記細菌株と前記土壌殺虫剤はそれぞれ植物の成長に利益を与えるために十分な量で存在することを特徴とし、
液体肥料中に植物の成長に利益を与えるために適切な量で存在する前記組成物は、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項２７】
少なくとも１つの菌株は、胞子又は栄養細胞の形態である、
ことを特徴とする請求項２６に記載の方法。
【請求項２８】
少なくとも１つの菌株は、バチルス属の株である、
ことを特徴とする請求項２６に記載の方法。
【請求項２９】
少なくとも１つの菌株は、バチルス・プミルスＲＴＩ２７９（ＡＴＣＣ受託番号ＰＴＡ−１２１１６４）、又はバチルス・リケニフォルミスＣＨ２００（ＤＳＭＺ受託番号ＤＳＭ１７２３６）、又はそれらの組み合わせである、
ことを特徴とする請求項２６に記載の方法。
【請求項３０】
前記土壌殺虫剤は、ビフェントリンである、
ことを特徴とする請求項２６に記載の方法。